(57)【要約】      （修正有）【課題】水晶振動素子を素子搭載部材に搭載時、振動部の振動への影響を軽減し、クリスタルインピーダンスが低い水晶振動子と、生産性のよい水晶振動子の製造方法を提供する。【解決手段】一方の主面の所定の一辺に沿って搭載パッド１１１が設けられ素子搭載部材１１０となる複数の部分が設けられている素子搭載部材ウエハＷの、素子搭載部材の外縁側を向く搭載パッドの２辺に沿うようにスクリーン印刷法を用いて導電性接着剤１２０と塗布する塗布工程と、水晶振動素子の引き出し電極と搭載パッドとなる部分とで塗布された導電性接着剤を挟んだ状態で導電性接着剤を硬化させ素子搭載部材に水晶振動素子を搭載する搭載工程と、蓋部材の凹部空間内に水晶振動素子を収納させつつ蓋部材と素子搭載部材とを接合し水晶振動素子を封止する封止工程と、素子搭載部材ウエハの前記素子搭載部材となる部分ごとに切断し個片化される個片化工程と、を備えている。【選択図】図２
2012099923.tif 000002
【特許請求の範囲】
【請求項１】
矩形形状の平板状に設けられ一方の主面の所定の一辺に沿って搭載パッドが設けられ他方の主面に外部接続端子が設けられている素子搭載部材となる複数の部分が設けられている素子搭載部材ウエハの、前記素子搭載部材となる部分の一方の主面を見たときに、前記素子搭載部材となる部分の外縁側を向きつつ前記素子搭載部材となる部分の一方の主面の所定の一辺に平行な前記搭載パッドの辺と、前記素子搭載部材となる部分の外縁側を向きつつ前記素子搭載部材となる部分の一方の主面の所定の一辺に垂直な前記搭載パッドの辺とに沿うように、スクリーン印刷法を用いて導電性接着剤と塗布する塗布工程と、
水晶片と励振電極と引き出し電極とを備えている水晶振動素子の、前記引き出し電極と前記素子搭載部材となる部分の前記搭載パッドとなる部分とで塗布された前記導電性接着剤を挟んだ状態で塗布された前記導電性接着剤を硬化させ、前記素子搭載部材に前記水晶振動素子を搭載する搭載工程と、
凹部空間を備えた蓋部材の、前記凹部空間内に前記素子搭載部材に搭載されている前記水晶振動素子を収納させつつ、前記蓋部材と前記素子搭載部材とを接合し前記水晶振動素子を封止する封止工程と、
前記素子搭載部材ウエハの前記素子搭載部材となる部分ごとに切断し、前記素子搭載部材に搭載されている前記水晶振動素子が封止された状態のまま個片化される個片化工程と、
を備えていることを特徴とする水晶振動子の製造方法。
【請求項２】
矩形形状の平板状に形成され、一方の主面の所定の一辺に四辺形の平板状の搭載パッドが並んで設けられ、他方の主面に外部接続端子が設けられている素子搭載部材と、
水晶片と、前記水晶片に設けられている２つ一対の励振電極と、一方の端部が前記励振電極に接続され他方の端部が前記水晶片の一方の主面の所定の一辺に沿って位置している引き出し電極と、から構成されている水晶振動素子と、
スクリーン印刷によって塗布され前記搭載パッドと前記引き出し電極とで挟んだ状態で硬化されて、前記搭載パッドと前記引き出し電極とを電気的に接続しつつ接着している導電性接着剤と、
一方の主面に凹部空間を備えており、前記搭載パッドと前記引き出し電極とが接着されて前記素子搭載部材に搭載されている前記水晶振動素子を前記凹部空間内に収納しつつ、前記素子搭載部材と接合され前記水晶振動素子を封止する蓋部材と、
から構成されており、
前記導電性接着剤が前記素子搭載部材の外縁側を向きつつ前記素子搭載部材の一方の主面の所定の一辺に平行な前記搭載パッドの辺と、前記素子搭載部材の外縁側を向きつつ前記素子搭載部材の一方の主面の所定の一辺に垂直な前記搭載パッドの辺とに沿って設けられている
ことを特徴とする水晶振動子。
【請求項３】
請求項２に記載の水晶振動子であって、前記素子搭載部材の一方の主面を見たとき、前記導電性接着剤が前記素子搭載部材の一方の主面の外縁側を向く前記搭載パッドの二辺が接する端部に設けられていることを特徴とする水晶振動子。
【発明の詳細な説明】
【技術分野】
【０００１】
本発明は、素子搭載部材に水晶振動素子が片持ち支持されている水晶振動子と水晶振動素子の製造方法に関する。
【背景技術】
【０００２】
水晶振動子は、例えば、平板状の素子搭載部材と、この素子搭載部材に搭載されている水晶振動素子と、素子搭載部材と水晶振動素子との間に設けられている導電性接着剤と、
凹部空間を備えている蓋部材と、から主に構成されている。
【０００３】
水晶振動素子は、例えば、水晶片と励振電極と引き出し電極とから構成されている。
水晶片は、例えば、圧電材料である水晶が用いられ、矩形形状の平板状に設けられている。
励振電極は、例えば、２つ一対で設けられている。一方の励振電極は、水晶片の一方の主面に設けられている。他方の励振電極は、水晶片の他方の主面であって、一方の励振電極に対向する位置に設けられている。
引き出し電極は、例えば、２つ一対で設けられている。
また、引き出し電極は、一方の端部が励振電極に接続されており、他方の端部が励振電極の設けられている水晶片の主面に対向する主面であって所定の一辺の縁部に位置している。一方の引き出し電極は、一方の端部が一方の励振電極に接続しており、他方の端部が水晶片の一方の主面の所定の一辺の縁部に位置している。他方の引き出し電極は、一方の端部が他方の励振電極に接続しており、他方の端部が水晶片の一方の主面の所定の一辺の縁部に位置している。
【０００４】
前述した水晶振動素子は、引き出し電極に交流が印加された場合、励振電極に挟まれている水晶片の一部が振動される構造となっている。
ここで、励振電極で挟まれている水晶片の一部を振動部とする。また、励振電極で挟まれていない水晶片の一部を減衰部とする。
【０００５】
素子搭載部材は、例えば、セラミックスが用いられている。
また、素子搭載部材は、矩形形状の平板状に設けられており、一方の主面に搭載パッドが設けられ、他方の主面に外部接続端子が設けられている。
搭載パッドは、例えば、２つ一対となっており、素子搭載部材の一方の主面であって所定の一辺に沿って並んで設けられている。また、搭載パッドは、例えば、その主面が四辺形となっている。また、搭載パッドは、水晶振動素子の引き出し電極の一部に対向する位置に設けられており、後述する導電性接着剤によって引き出し電極と電気的に接続されるように接着されている。
外部接続端子は、例えば、４つ設けられており、素子搭載部材の他方の主面の４隅に一つずつ設けられている。また、所定の外部接続端子は、所定の搭載パッドと電気的に接続されている。
【０００６】
導電性接着剤は、素子搭載部材の搭載パッドと水晶振動素子の引き出し電極との間に設けられている。このとき、搭載パッドと引き出し電極とが電気的に接続されるように接着されており、水晶振動素子が素子搭載部材に搭載されている。
【０００７】
蓋部材は、例えば、凹部空間を備えており、金属が用いられている。
また、蓋部材は、素子搭載部材に搭載されている水晶振動素子を凹部空間内に収納させつつ、素子搭載部材の一方の主面と接合されている。
【０００８】
従って、水晶振動子は、素子搭載部材の搭載パッドと水晶振動素子の引き出し電極とが導電性接着剤によって電気的に接続するように接着されて水晶振動素子が素子搭載部材に搭載されている。このとき、素子搭載部材の一方の主面の所定の一辺に沿って並んで設けられているので、水晶振動素子が片持ち支持された状態で素子搭載部材に搭載されている。
また、水晶振動子は、水晶振動素子が搭載されている素子搭載部材と凹部空間を備えた蓋部材とが接合されて、水晶振動素子が封止される構造となっている（例えば、特許文献１参照）。
【０００９】
ここで、素子搭載部材に水晶振動素子が片持ち支持された状態とは、水晶片の一方の主面であって所定の一辺の縁部が接着され、水晶片の一方の主面であって所定の一辺に対向する所定の他の一辺の縁部が接着されていない状態である。
また、接着されている水晶片の一方の主面の端部を固定端とし、接着されていない水晶片の一方の主面の端部を自由端とする。
【００１０】
前述したように、水晶振動子は、圧電材料の逆圧電効果を利用した構造となっており、励振電極と電気的に接続されている外部接続端子に交流が印加されて振動部が所定の振動モードで振動する構造となっている。
【００１１】
また、このような水晶振動子は、励振電極に交流が印加されたとき、振動部が所定の振動モードで振動する構造となっているが、振動部と減衰部とが隣接しているため減衰部の状態によって振動部の振動モードが阻害される恐れがある。
例えば、水晶振動素子が片持ち支持されている水晶振動子は、水晶振動素子が接着されていない自由端が素子搭載部材又は蓋部材に接触すると減衰部の影響を受け振動部の振動モードが阻害され、水晶振動子のクリスタルインピーダンスが高くなる恐れがある。
【００１２】
このため、水晶振動素子が片持ち支持されている水晶振動子は、自由端が素子搭載部材又は蓋部材に接触しないように、例えば、水晶振動素子の水晶片の主面と素子搭載部材の主面とが平行なまま水晶振動素子を素子搭載部材に搭載することができる構造となっている。
水晶振動素子が片持ち支持されており、かつ、水晶片の主面と素子搭載部材の主面とが平行となっている水晶振動子２００は、例えば、図６に示すように、支持部２５０が搭載パッド２１１に形成されている。
【００１３】
支持部２５０は、素子搭載部材２１０の一方の主面であって所定の一辺に沿って並んで設けられている搭載パッド２１１の全面に設けられており、直方体形状となっている。
また、支持部２５０は、搭載パッド２１１と支持部２５０とが接する面に対向する支持部２５０の面が素子搭載部材２１０の主面に平行となっている。
【００１４】
従って、水晶振動子２００は、図６に示すように、水晶振動素子２３０の水晶片２３１の一方の主面が搭載パッド２１１と支持部２５０とが接する面に対向する支持部２６０の面に対向しつつ接する位置に水晶振動素子２３０が配置され、水晶振動素子２３０の水晶片２３１の他方の主面と支持部２５０とが導電性接着剤によって接着され、水晶振動素子２３０が素子搭載部材２１０に搭載されている。
つまり、水晶振動子２００は、搭載パッド２１１の全面に形成されている直方体の支持部２５０に水晶振動素子２３０を配置し、水晶振動素子２３０と支持部２５０とを導電性接着剤２２０とを電気的に接続しつつ接着させるように、水晶振動素子２３０が素子搭載部材２１０に搭載されている構造となっている（例えば、特許文献２参照）。
【００１５】
一般的に、水晶振動素子を素子搭載部材に搭載するときに導電性接着剤を塗布する方法として、ディスペンサ装置を用いて導電性接着剤を塗布する方法が用いられる。
【００１６】
ディスペンサ装置は、例えば、シリンジ部と、シリンジ部の一方の端部に接続されているニードル部と、シリンジ部の他方の端部から一方の端部に向かう向きに圧力を加えることができる圧力手段とを備えている。
【００１７】
シリンジ部は、一方の端部がニードルに接続されており、他方の端部が圧力手段に接続されている。また、シリンジ部は、円柱形上となっており、その内部に硬化前の導電性接着剤が充填されている。
【００１８】
圧力手段は、例えば、シリンジ部の他方の端部に接続されており、窒素ガスがシリンジ部の他方の端部から一方の端部へ向かう向きでシリンジ部の内部に押し込まれる。従って、圧力手段は、所定の圧力で所定の時間、シリンジ部の他方の端部から一方の端部へ向かう向きに加圧することができる。
【００１９】
ニードル部は、シリンジ部の一方の端部に接続していることから、圧力手段によりシリンジ内部に圧力が加えられたとき、シリンジ部の内部に充填されていた導電性接着剤が押し出されてニードル部の他方の端部から導電性接着剤が吐出されている。
【００２０】
つまり、ディスペンサ装置は、圧力手段の時間及び圧力を調節することで導電性接着剤の塗布量を調節することができる構造となっている（例えば、特許文献３参照）。
【先行技術文献】
【特許文献】
【００２１】
【特許文献１】特開２００３−３１８６９０号公報
【特許文献２】特開平９−２９８４３４号公報
【特許文献３】特開２００５−１９７９２７号公報
【発明の概要】
【発明が解決しようとする課題】
【００２２】
しかしながら、従来の水晶振動子は、素子搭載部材の搭載パッドに形成されている直方体形状の支持部に水晶振動素子の水晶片の一方の主面を接触させ、ディスペンサ装置によって塗布された導電性接着剤で水晶片の他方の主面と支持部とが接着されている構造となっているので、ディスペンサ装置によって塗布されたときに、導電性接着剤が水晶片の他方の主面上で固定端側から自由端側へ広がった状態で塗布されている恐れがある。
このため、従来の水晶振動子は、搭載パッドより励振電極に近い位置で水晶振動素子が接着されている構造となり、振動部の振動が阻害され、クリスタルインピーダンスが高くなる恐れがある。
【００２３】
また、従来の水晶振動子の製造方法によれば、素子搭載部材の搭載パッドに直方体形状の支持部を形成し、水晶振動素子の水晶片の一方の主面を支持部に接触させ水晶片の主面と素子搭載部材の主面とが平行となるように水晶振動素子を配置し、水晶振動素子の水晶片の他方の主面と支持部とが電気的に接続されるようにディスペンサ装置を用いて導電性接着剤を塗布しているので、小型化された水晶振動子を製造するとき、導電性接着剤の塗布量や塗布場所の微調整が必要となる恐れがある。
このため、従来の水晶振動子の製造方法は、導電性接着剤を塗布するときに時間と手間を要し、生産性が悪化する恐れがある。
【００２４】
また、従来の水晶振動子の製造方法によれば、素子搭載部材の搭載パッドに直方体形状の支持部を形成し、支持部と搭載パッドとが接する面に対向する支持部の面に水晶片の一方の主面が接するように配置され、支持部と水晶片の他方の主面が接着されるようにディスペンサ装置によって導電性接着剤が塗布されるので、導電性接着剤を塗布したとき、水晶片の他方の主面上で導電性接着剤が固定端側から自由端側へ広がって塗布される恐れがある。
このため、従来の水晶振動子の製造方法によれば、導電性接着剤が搭載パッドと比較して励振電極に近い位置で接着され、振動部の振動が阻害されクリスタルインピーダンスが高いといった不良が発生し、生産性が悪化する恐れがある。
【００２５】
そこで、本発明は、水晶振動素子を素子搭載部材に搭載したときに振動部の振動への影響を軽減し、クリスタルインピーダンスが低い水晶振動子と、生産性のよい水晶振動子の製造方法を提供することを目的とする。
【課題を解決するための手段】
【００２６】
前記課題を解決するため、  矩形形状の平板状に設けられ一方の主面の所定の一辺に沿って搭載パッドが設けられ他方の主面に外部接続端子が設けられている素子搭載部材となる複数の部分が設けられている素子搭載部材ウエハの、前記素子搭載部材となる部分の一方の主面を見たときに、前記素子搭載部材となる部分の外縁側を向きつつ前記素子搭載部材となる部分の一方の主面の所定の一辺に平行な前記搭載パッドの辺と、前記素子搭載部材となる部分の外縁側を向きつつ前記素子搭載部材となる部分の一方の主面の所定の一辺に垂直な前記搭載パッドの辺と
に沿うように、スクリーン印刷法を用いて導電性接着剤と塗布する塗布工程と、水晶片と励振電極と引き出し電極とを備えている水晶振動素子の、前記引き出し電極と前記素子搭載部材となる部分の前記搭載パッドとなる部分とで
塗布された前記導電性接着剤を挟んだ状態で塗布された前記導電性接着剤を硬化させ、前記素子搭載部材に前記水晶振動素子を搭載する搭載工程と、凹部空間を備えた蓋部材の、前記凹部空間内に前記素子搭載部材に搭載されている前記水晶振動素子を収納させつつ、
前記蓋部材と前記素子搭載部材とを接合し前記水晶振動素子を封止する封止工程と、前記素子搭載部材ウエハの前記素子搭載部材となる部分ごとに切断し、前記素子搭載部材に搭載されている前記水晶振動素子が封止された状態のまま個片化される個片化工程と、を備えていることを特徴とする。
【００２７】
また、前記課題を解決するため、矩形形状の平板状に形成され、一方の主面の所定の一辺に四辺形の平板状の搭載パッドが並んで設けられ、他方の主面に外部接続端子が設けられている素子搭載部材と、水晶片と、前記水晶片に設けられている２つ一対の励振電極と、一方の端部が前記励振電極に接続され他方の端部が前記水晶片の一方の主面の所定の一辺に沿って位置している引き出し電極と、から構成されている水晶振動素子と、スクリーン印刷によって塗布され前記搭載パッドと前記引き出し電極とで挟んだ状態で硬化されて、
前記搭載パッドと前記引き出し電極とを電気的に接続しつつ接着している導電性接着剤と、一方の主面に凹部空間を備えており、前記搭載パッドと前記引き出し電極とが接着されて前記素子搭載部材に搭載されている前記水晶振動素子を前記凹部空間内に収納しつつ、前記素子搭載部材と接合され前記水晶振動素子を封止する蓋部材と、から構成されており、前記導電性接着剤が前記素子搭載部材の外縁側を向きつつ前記素子搭載部材の一方の主面の所定の一辺に平行な前記搭載パッドの辺と、
前記素子搭載部材の外縁側を向きつつ前記素子搭載部材の一方の主面の所定の一辺に垂直な前記搭載パッドの辺とに沿って設けられていることを特徴とする。
【００２８】
また、前記課題を解決するため、前記素子搭載部材の一方の主面を見たとき、前記導電性接着剤が前記素子搭載部材の一方の主面の外縁側を向く前記搭載パッドの二辺が接する端部に設けられていることを特徴とする。
【発明の効果】
【００２９】
このような水晶振動子は、一方の主面の所定の一辺に沿って並んで搭載パッドが設けられている素子搭載部材であって、素子搭載部材の一方の主面を見たときに、スクリーン印刷によって、素子搭載部材の外縁側を向きつつ素子搭載部材の一方の主面の所定の一辺に平行な搭載パッドの辺と、素子搭載部材の外縁側を向きつつ素子搭載部材の一方の主面の所定の一辺に垂直な搭載パッドの辺とに沿って塗布された後、前記引き出し電極と前記搭載パッドとで挟まれた後硬化された構造となっているので、従来の水晶振動子よりも振動部から離れた位置で水晶振動素子が接着させることができる構造となっている。
従って、このような水晶振動子によれば、従来の水晶振動子と比較して水晶振動素子を搭載することが原因で発生する振動部への影響を抑えることができる構造となっているので、従来の水晶振動子と比較してクリスタルインピーダンスが高くなることを防ぐことができる。
【００３０】
また、このような水晶振動子の製造方法によれば、平板状の矩形形状に設けられ一方の主面の所定の一辺に沿って搭載パッドが設けられ他方の主面に外部接続端子が設けられている素子搭載部材となる複数の部分が設けられている素子搭載部材ウエハであって、この素子搭載部材ウエハの素子搭載部材となる部分の搭載パッドの所定の２辺に沿って導電性接着剤をスクリーン印刷によって塗布しているので、従来の水晶振動子の製造方法のようなディスペンサ装置を用いることなく導電性接着剤を塗布することができる。
このため、このような水晶振動子の製造方法は、従来の水晶振動子の製造方法と比較して、導電性接着剤を所定の位置に所定の形状で容易に塗布することができ、生産性を向上させることができる。
【００３１】
また、このような水晶振動子の製造方法によれば、平板状の矩形形状に設けられ一方の主面の所定の一辺に沿って搭載パッドが設けられ他方の主面に外部接続端子が設けられている素子搭載部材となる複数の部分が設けられている素子搭載部材ウエハであって、素子搭載部材の一方の主面を見たとき、素子搭載部材となる部分の外縁側を向きつつ素子搭載部材となる部分の所定の一辺に平行な搭載パッドの辺及び素子搭載部材となる部分の外縁側を向きつつ素子搭載部材となる部分の所定の一辺に垂直な搭載パッドの辺に沿った位置にスクリーン印刷法によって導電性接着剤が塗布されるので、従来の水晶振動子の製造方法と比較して励振電極から離れた位置で接着させることができる。
このため、このような水晶振動子の製造方法によれば、従来の水晶振動子の製造方法と比較して接着による振動部の振動への影響を抑えることができ、クリスタルインピーダンスが高いといった不良を抑えることができる。従って、このような水晶振動子の製造方法によれば、従来の水晶振動子の製造方法と比較して生産性を向上させることができる。
【図面の簡単な説明】
【００３２】
【図１】本発明の実施形態に係る水晶振動子の一例を示す分解斜視図である。
【図２】（ａ）は、本発明の実施形態に係る水晶振動子の製造方法の塗布工程前の状態の一例を示す状態図であり、（ｂ）は、本発明の実施形態に係る水晶振動子の製造方法の塗布工程後の状態の一例を示す状態図である。
【図３】本発明の実施形態に係る水晶振動子の製造方法の搭載工程の状態の一例を示す状態図である。
【図４】本発明の実施形態に係る水晶振動子の製造方法の封止工程の状態の一例を示す状態図である。
【図５】本発明の実施形態に係る水晶振動子の製造方法の個片化工程の状態の一例を示す状態図である。
【図６】従来の水晶振動子の一例を示す断面図である。
【発明を実施するための形態】
【００３３】
次に、本発明を実施するための最良の形態について説明する。なお、各図面において各構成要素の状態をわかりやすくするために誇張して図示している。
【００３４】
本発明の実施形態に係る水晶振動子１００は、図１に示すように、素子搭載部材１１０と導電性接着剤１２０と水晶振動素子１３０と蓋部材１４０とを備えている。
【００３５】
水晶振動素子１３０は、例えば、図１に示すように、水晶片１３１と励振電極１３２と引き出し電極１３３とから構成されている。
【００３６】
水晶片１３１は、例えば、図１に示すように、圧電材料である水晶が用いられており、矩形形状の平板状に設けられている。
【００３７】
励振電極１３２は、例えば、２つ設けられている。
一方の励振電極１３２は、水晶片１３１の一方の主面に設けられている。
他方の励振電極１３２は、水晶片１３１の他方の主面であって、一方の励振電極１３２に対向する位置に設けられている。
【００３８】
引き出し電極１３３は、例えば、２つ設けられている。
一方の引き出し電極１３３は、一方の端部が一方の励振電極１３２に接続されており、他方の端部が水晶片１３１の一方の主面の所定の一辺の縁部に設けられている。
他方の引き出し電極１３３は、一方の端部が他方の励振電極１３２に接続されており、他方の端部が水晶片１３１の一方の主面の所定の一辺の縁部に設けられている。
２つの引き出し電極のそれぞれの端部は、水晶片１３１の一方の主面の所定の一辺に沿って２つ並んで設けられている。
【００３９】
水晶振動素子１３０は、引き出し電極１３３に交流が印加された場合、励振電極１３２に挟まれている水晶片１３１の一部が振動される構造となっている。
ここで、励振電極１３２で挟まれている水晶片１３１の一部を振動部とする。また、励振電極１３２で挟まれていない水晶片１３１の一部を減衰部とする。
【００４０】
素子搭載部材１１０は、例えば、セラミックスが用いられており、図１に示すように、矩形形状の平板状に設けられている。
また、素子搭載部材１１０は、図１に示すように、一方の主面に搭載パッド１１１が設けられ、他方の主面に外部接続端子１１２が設けられている。
また、素子搭載部材１１０は、図１に示すように、一方の主面の縁部に沿って環状の接合部材Ｓが設けられている。
【００４１】
搭載パッド１１１は、例えば、図１に示すように、２つ設けられており、素子搭載部材１１０の一方の主面の所定の一辺に沿って２つ並んで設けられている。
また、搭載パッド１１１は、素子搭載部材１１０の一方の主面を見たとき、四辺形となっている。
【００４２】
外部接続端子１１２は、例えば、４つ設けられており、素子搭載部材１１０の他方の主面の４隅に一つずつ設けられている。
また、所定の外部接続端子１１２は、所定の搭載パッド１１１と素子搭載部材１１０の内部配線（図示せず）を介し電気的に接続されている。
【００４３】
接合部材Ｓは、図１に示すように、素子搭載部材１１０の一方の主面の縁部に沿って環状に設けられている。
また、接合部材Ｓは、素子搭載部材１１０と蓋部材１４０との間に設けられており、素子搭載部材１１０と蓋部材１４０とを接合している。
【００４４】
導電性接着剤１２０は、スクリーン印刷によって素子搭載部材１１０の搭載パッド１１１に塗布された後、水晶振動素子１３０の引き出し電極１３３とで挟んだ状態で硬化されて、搭載パッド１１１と引き出し電極１３３とを電気的に接続しつつ接着している。
従って、素子搭載部材１１０の一方の主面の所定の一辺に沿って並んで設けられている搭載パッド１１１が水晶振動素子１３０の引き出し電極１３３と電気的に接続されつつ接着されているので、素子搭載部材１１０に水晶振動素子１３０が片持ち支持された状態となっている。
【００４５】
また、導電性接着剤１２０は、素子搭載部材１１０の一方の主面を見たとき、素子搭載部材１１０の外縁側を向きつつ素子搭載部材１１０の一方の主面の所定の一辺に平行な外縁外に最も近い搭載パッド１１１の辺に沿って設けられている。
また、導電性接着剤１２０は、素子搭載部材１１０の一方の主面を見たとき、素子搭載部材１１０の外縁側を向きつつ素子搭載部材１１０の一方の主面の所定の一辺に垂直な外縁外に最も近い搭載パッド１１１の辺に沿って設けられている。
つまり、導電性接着剤１２０は、素子搭載部材１１０の一方の主面の外縁側を向く搭載パッド１１１の２辺に沿って設けられている。
【００４６】
導電性接着剤１２０は、従来の水晶振動子２００と比較して、励振電極１３２より離れた位置で素子搭載部材１１０の搭載パッド１１１と水晶振動素子１３０の引き出し電極１３３とを接着させている。
このため、導電性接着剤１２０は、従来の水晶振動子２００の導電性接着剤２２０と比較して、導電性接着剤１２０で接着させることによる振動部の振動への影響を抑えることができる。
【００４７】
蓋部材１４０は、凹部空間１４１を備えており、凹部空間１４１内に素子搭載部材１１０に搭載されている水晶振動素子１３０を収納した状態で、素子搭載部材１１０に設けられている接合材Ｓによって素子搭載部材１１０と接合されている。このとき、素子搭載部材１１０に搭載されている水晶振動素子１３０は、素子搭載部材１１０と蓋部材１４０とで封止された状態となっている。
【００４８】
従って、本発明の実施形態に係る水晶振動子１００は、素子搭載部材１１０に水晶振動素子１３０が片持ち支持された状態で搭載されており、素子搭載部材１１０と蓋部材１４０とが接合されて搭載された水晶振動素子１３０が封止された構造となっている。
このとき、従来の水晶振動子２００の水晶振動素子２３０と比較して、水晶振動素子１３０の励振電極１３１から離れた位置に導電性接着剤１２０で接着され、水晶振動素子１３０が片持ち支持された状態で素子搭載部材１１０に搭載されている。
【００４９】
また、本発明の実施形態に係る水晶振動子１００は、素子搭載部材１１０の所定の外部接続端子１１２が搭載パッド１１１と導電性接着剤１２０と水晶振動素子１３０の引き出し電極１３３とを介し、所定の励振電極１３２と電気的に接続されているので、所定の外部接続端子１１２に交流を印加すると水晶振動素子１３０の振動部が振動される構造となっている。
前述したように、振動部とは、水晶振動素子１３０の励振電極１３２で挟まれた水晶片１３１の一部である。
【００５０】
このような本発明の実施形態に係る水晶振動子１００は、一方の主面の所定の一辺に沿って並んで搭載パッド１１１が設けられている素子搭載部材１１０であって素子搭載部材１１０の一方の主面を見たとき、素子搭載部材１１０の一方の主面の縁部を向きつつ素子搭載部材１１０の一方の主面の所定の一辺に平行な搭載パッド１１１の辺と、素子搭載部材１１０の一方の主面の縁部を向きつつ素子搭載部材１１０の一方の主面の所定の一辺に垂直な搭載パッド１１１の辺とに沿って導電性接着剤１２０がスクリーン印刷によって塗布された後、引き出し電極１３３と搭載パッド１１１とで挟まれた状態で硬化されている構造となっているので、従来の水晶振動子２００より振動部から離れた位置で水晶振動素子１３０を接着させることができる構造となっている。
従って、本発明の実施形態に係る水晶振動子１００によれば、従来の水晶振動子２００と比較して水晶振動素子１３０を搭載することが原因で発生する振動部への影響を抑えることができる構造となっているので、従来の水晶振動子２００と比較してクリスタルインピーダンスが高くなることを防ぐことができる。
このため、このような本発明の実施形態に係る水晶振動子１００によれば、従来の水晶振動子２００と比較して水晶振動素子１３０を搭載することが原因で発生する振動部への影響を抑えることができる構造となっているので、従来の水晶振動子２００と比較してクリスタルインピーダンスが高くなることを防ぐことができる。
【００５１】
また、このような本発明の実施形態に係る水晶振動子１００は、素子搭載部材１１０に水晶振動素子１３０が搭載された状態で素子搭載部材１１０の一方の主面側を見たとき、素子搭載部材１１０の一方の主面の外縁側を向きつつ素子搭載部材１１０の所定の一辺に平行な辺が水晶振動子１３０の水晶片１３１の主面であって引き出し１３３の他方の端部が位置する水晶片１３１の所定の一辺と重なっており、素子搭載部材１１０の一方の主面の外縁側を向きつつ素子搭載部材１１０の所定の一辺に垂直な辺が水晶振動子１３０の水晶片１３１の主面であって水晶片１３１の所定の一辺の端部に接続されている水晶片１３１の一辺と重なっている。
従って、このような本発明の実施形態に係る水晶振動子１００は、水晶振動子１３０の水晶片１３１の主面の３辺が導電性接着剤１３０で接着されている構造となっているので、搭載による振動部振動への影響を抑えることができる。
また、このような本発明の実施形態に係る水晶振動子１００は、搭載パッドの所定の一辺に沿って導電性接着剤が塗布され設けられている水晶振動子と比較して、接着面積が大きくなるので接着強度を保つことができる。
【００５２】
次に、本発明の実施形態に係る水晶振動子１００の製造方法について説明する。
本発明の実施形態に係る水晶振動子１００の製造方法は、塗布工程、搭載工程、封止工程、個片化工程を備えている。
【００５３】
（塗布工程）
塗布工程は、図２（ａ）及び図２（ｂ）に示すように、矩形形状の平板状に設けられ一方の主面の所定の一辺に沿って搭載パッド１１１が設けられ他方の主面に外部接続端子１１２（図５参照）が設けられている素子搭載部材１１０となる複数の部分が設けられている素子搭載部材ウエハＷの、前記素子搭載部材１１０となる部分の一方の主面を見たときに、前記素子搭載部材１１０となる部分の外縁側を向きつつ前記素子搭載部材１１０となる部分の一方の主面の所定の一辺に平行な前記搭載パッド１１１の辺と、前記素子搭載部材１１０となる部分の外縁側を向きつつ前記素子搭載部材１１０となる部分の一方の主面の所定の一辺に垂直な前記搭載パッド１１１の辺とに沿うように、スクリーン印刷法を用いて導電性接着剤１２０と塗布する工程である。
【００５４】
素子搭載部材ウエハＷは、図２（ａ）に示すように、素子搭載部材１１０となる部分がマトリクス状に設けられている。
また、素子搭載部材ウエハＷは、例えば、セラミックスが用いられている。
【００５５】
素子搭載部材１１０となる部分は、一方の主面に搭載パッド１１１が設けられ、他方の主面に外部接続端子１１２が設けられている。
搭載パッド１１１は、例えば、図２（ａ）に示すように、２つ一対で設けられており、素子搭載部材１１０となる部分の一方の主面の所定の一辺に沿って２つ並んで設けられている。また、搭載パッド１１１は、例えば、図２（ａ）に示すように、素子搭載部材１１０の一方の主面を見たとき、四辺形となっている。また、搭載パッド１１１の主面は、素子搭載部材１１０の主面と平行になっている。
外部接続端子１１２は、例えば、４つ設けられており、素子搭載部材１１０となる部分の他方の主面の４隅に一つずつ設けられている。また、所定の外部接続端子１１２は、所定の搭載パッド１１１と素子搭載部材１１０となる部分の内部配線（図示せず）によって電気的に接続されている。
【００５６】
塗布工程では、スクリーン印刷を用いている。
スクリーン印刷は、例えば、図２（ａ）に示すように、素子搭載部材ウエハＷにマスクＭを配置し、素子搭載部材ウエハＷとマスクＭとが接する面に対向するマスクＭの面に導電性接着剤を塗布し、スキージーを用いてこの導電性接着剤をマスク面の面に厚みが均一になるように塗り広げ、マスクＭを取り除いて、図２（ｂ）に示すように、素子搭載部材ウエハＷの素子搭載部材１１０となる部分の所定の位置に所定の形状で導電性接着剤１２０を塗布する。
【００５７】
スクリーン印刷で用いるマスクＭは、例えば、金属が用いられており、レーザー照射装置で素子搭載部材１１０となる部分の導電性接着剤１２０の塗布される位置に対応した貫通穴が設けられている。
マスクＭは、例えば、例えば、素子搭載部材ウエハＷの素子搭載部材１１０となる部分であって、素子搭載部材１１０となる部分の外縁側を向きつつ素子搭載部材１１０となる部分の所定の一辺に平行な外縁側に最も近い搭載パッド１１１の辺及び素子搭載部材１１０となる部分の外縁側を向きつつ素子搭載部材１１０となる部分の所定の一辺に垂直な外縁側に最も近い搭載パッド１１１辺に沿った位置に貫通穴が設けられている。
【００５８】
従って、塗布工程では、開口部が塗布形状と同じ形状となっている貫通穴が設けられているマスクＭが素子搭載部材ウエハに配置され、マスクＭの面上に膜厚が均一となるように導電性接着剤が塗布されて貫通穴に導電性接着剤１２０が充填されるので、マスクＭを取り除いたときに、所定の形状の導電性接着剤１２０を塗布することができる。
このため、塗布工程では、ディスペンサ装置を用いることなく導電性１２０を塗布しているので、従来の導電性接着剤２２０の塗布工程と比較して、所定の位置に所定の量を容易に塗布することができる。
【００５９】
また、塗布工程では、図２（ａ）に示すように、素子搭載部材ウエハＷの素子搭載部材１１０となる部分であって、素子搭載部材１１０となる部分の外縁側を向きつつ素子搭載部材１１０となる部分の所定の一辺に平行な辺及び素子搭載部材１１０となる部分の外縁側を向きつつ素子搭載部材１１０となる部分の所定の一辺に垂直な辺に沿った位置に貫通穴が設けられているので、図２（ｂ）に示すように、導電性接着剤１２０が素子搭載部材１１０となる部分の外縁側を向きつつ素子搭載部材１１０となる部分の所定の一辺に平行な辺と素子搭載部材１１０となる部分の外縁側を向きつつ素子搭載部材１１０となる部分の所定の一辺に垂直な辺に沿って塗布される。
また、塗布工程では、導電性接着剤１２０と搭載パッド１１１とが接する面に対向する導電性接着剤１２０の面が搭載パッド１１１の主面に平行となっている。
【００６０】
（搭載工程）
搭載工程は、図３に示すように、水晶片１３１と励振電極１３２と引き出し電極１３３とを備えている水晶振動素子１３０の、前記引き出し電極１３３と前記素子搭載部材１１０となる部分の前記搭載パッド１１１となる部分とで塗布された前記導電性接着剤１２０を挟んだ状態で塗布された前記導電性接着剤１２０を硬化させ、前記素子搭載部材１１０に前記水晶振動素子１３０を搭載する工程である。
【００６１】
水晶振動素子１３０は、例えば、図３に示すように、水晶片１３１と励振電極１３２と引き出し電極１３３とから構成されている。
【００６２】
水晶片１３１は、例えば、圧電材料である水晶が用いられ、矩形形状の平板状に設けられている。
【００６３】
励振電極１３２は、例えば、２つ一対で設けられている。
一方の励振電極１３２は、水晶片１３１の一方の主面に設けられている。
他方の励振電極１３２は、水晶片１３１の他方の主面であって、一方の励振電極１３２に対向する位置に設けられている。
【００６４】
引き出し電極１３３は、例えば、２つ一対で設けられている。
一方の引き出し電極１３３は、一方の端部が一方の励振電極１３２に接続されており、他方の端部が水晶片１３１の一方の主面であって所定の一辺の縁部に位置している。
他方の引き出し電極１３３は、一方の端部が他方の励振電極１３２に接続されており、他方の端部が水晶片１３１の一方の主面であって所定の一辺の縁部に位置している。
なお、ここでは、引き出し電極１３３の端部が水晶片１３１の一方の主面の所定の一辺の縁部に位置している場合について説明しているが、一方の端部が接続されている励振電極１３２が設けられている水晶片１３１の主面に対向する水晶片１３１の主面の所定の一辺の縁部に位置してもよい。
【００６５】
搭載工程では、まず、素子搭載部材１１０となる部分の搭載パッド１１１に塗布されている導電性接着剤１２０を搭載パッド１１１と水晶振動素子１３０の引き出し電極１３３とで挟んだ状態にし、次に、そのままの状態で導電性接着剤１２０を硬化させる。
このとき、素子搭載部材１１０となる部分の一方の主面を見ると、水晶振動素子１３０の水晶片１３１の所定の一辺が、素子搭載部材１１０となる部分の外縁側を向きつつ素子搭載部材１１０となる部分の所定の一辺に平行な搭載パッド１１１の辺と重なる位置に設けられる。また、素子搭載部材１１０となる部分の一方の主面を見ると、水晶振動素子１３０の水晶片１３１の所定の一辺に接続している所定の他の辺が、素子搭載部材１１０となる部分の外縁側を向きつつ素子搭載部材１１０となる部分の所定の一辺に垂直な搭載パッド１１１の辺と重なる位置に設けられる。
【００６６】
従って、搭載工程では、導電性接着剤１２０と搭載パッド１１１とが接する面に対向する導電性接着剤１２０の面に水晶振動素子１３０が配置されるので、水晶片１３１の主面と搭載パッド１１１の面とが平行となり、水晶片１３１の主面と素子搭載部材１１０となる部分の主面とが平行な状態で配置される。
つまり、搭載工程では、水晶振動素子１３０の水晶片１３１の主面と素子搭載部材１１０となる部分の主面とが平行な状態で水晶振動素子１３０が素子搭載部材１１０となる部分に搭載される。
【００６７】
また、搭載工程では、素子搭載部材１１０となる部分の一方の主面を見ると、水晶振動素子１３０の水晶片１３１の所定の一辺が、素子搭載部材１１０となる部分の外縁側を向きつつ素子搭載部材１１０となる部分の所定の一辺に平行な搭載パッド１１１の辺と重なる位置に設けられ、水晶振動素子１３０の水晶片１３１の所定の一辺に接続している所定の他の辺が、素子搭載部材１１０となる部分の外縁側を向きつつ素子搭載部材１１０となる部分の所定の一辺に垂直な搭載パッド１１１の辺と重なる位置に設けられるので、従来の水晶振動子２００の製造方法より、水晶振動素子１３０の励振電極１３２より離れている部分を導電性接着剤１２０で接着し、素子搭載部材１１０となる部分に搭載することができる。
【００６８】
（封止工程）
封止工程は、凹部空間１４１を備えた蓋部材１４０の、前記凹部空間１４１内に前記素子搭載部材１１０となる部分に搭載されている前記水晶振動素子１３０を収納させつつ、前記蓋部材１４０と前記素子搭載部材１１０となる部分とを接合し前記水晶振動素子１３０を封止する工程である。
【００６９】
蓋部材１４０は、例えば、金属が用いられている。
また、蓋部材１４０は、例えば、蓋基板部（図示せず）と蓋枠部（図示せず）とから構成され凹部空間１４１が形成されている。
【００７０】
封止工程では、例えば、図４に示すように、素子搭載部材１１０に搭載されている水晶振動素子１３０を蓋部材１４０の凹部空間１４１内に収納させた状態で、素子搭載部材１１０の接合材を溶融させることで蓋部材１４０と素子搭載部材１１０とを接合している。このとき、素子搭載部材１１０に搭載されている水晶振動素子１３０は、封止された状態となっている。
【００７１】
（個片化工程）
個片化工程は、図５に示すように、前記素子搭載部材ウエハＷの前記素子搭載部材１１０となる部分ごとに切断し、前記素子搭載部材１１０に搭載されている前記水晶振動素子１３０が封止された状態のまま個片化される工程である。
【００７２】
個片化工程では、例えば、ダイシングソー切断装置が用いられる。
【００７３】
このような本発明の実施形態に係る水晶振動子１００の製造方法によれば、平板状の矩形形状に設けられ一方の主面の所定の一辺に沿って搭載パッド１１１が設けられ他方の主面に外部接続端子１１２が設けられている素子搭載部材１１０となる複数の部分が設けられている素子搭載部材ウエハＷであって、この素子搭載部材ウエハＷの素子搭載部材１１０となる部分の搭載パッド１１１の所定の２辺に沿って導電性接着剤１２０をスクリーン印刷によって塗布しているので、従来の水晶振動子２００の製造方法のようなディスペンサ装置を用いることなく導電性接着剤１２０を塗布することができる。
このため、このような本発明の実施形態に係る水晶振動子１００の製造方法は、従来の水晶振動子２００の製造方法と比較して、導電性接着剤１２０を所定の位置に所定の形状で容易に塗布することができ、生産性を向上させることができる。
【００７４】
また、このような本発明の実施形態に係る水晶振動子１００の製造方法によれば、平板状の矩形形状に設けられ一方の主面の所定の一辺に沿って搭載パッド１１１が設けられ他方の主面に外部接続端子１１２が設けられている素子搭載部材１１０となる複数の部分が設けられている素子搭載部材ウエハＷであって、素子搭載部材１１０の一方の主面を見たとき、素子搭載部材１１０となる部分の外縁側を向きつつ素子搭載部材１１０となる部分の所定の一辺に平行な搭載パッド１１１の辺及び素子搭載部材１１０となる部分の外縁側を向きつつ素子搭載部材１１０となる部分の所定の一辺に垂直な搭載パッド１１１の辺に沿った位置にスクリーン印刷法によって導電性接着剤１２０が塗布されるので、
従来の水晶振動子２００の製造方法と比較して励振電極１３２から離れた位置で接着させることができる。
このため、このような本発明の実施形態に係る水晶振動子１００の製造方法によれば、従来の水晶振動子２００の製造方法と比較して接着による振動部の振動への影響を抑えることができ、クリスタルインピーダンスが高いといった不良を抑えることができる。従って、このような本発明の実施形態に係る水晶振動子１００の製造方法によれば、従来の水晶振動子２００の製造方法と比較して生産性を向上させることができる。
【００７５】
また、本発明の実施形態に係る水晶振動子１００の製造方法によれば、素子搭載部材１１０となる部分の搭載パッド１１１に塗布された導電性接着剤１２０であって、搭載パッド１１１と導電性接着剤１２０とが接する面に対向する導電性接着剤１２０の面が素子搭載部材１１０となる部分の主面に平行となっており、この搭載パッド１１１と導電性接着剤１２０とが接する面に対向する導電性接着剤１２０の面に水晶振動素子１３０が配置されるので、水晶振動素子１３０の水晶片１３１の主面と素子搭載部材１１０の主面とが平行な状態で配置される。
従って、本発明の実施形態に係る水晶振動子１００の製造方法によれば、素子搭載部材１１０となる部分に搭載されている水晶振動素子１３０の自由端が素子搭載部材１１０又は蓋部材１４０に接することなく、水晶振動素子１３０が素子搭載部材１１０となる部分に搭載されるので、水晶振動素子１３０の自由端が素子搭載部材１１０又は蓋部材１４０に接触することによるクリスタルインピーダンスが高いといった不良を減らすことができ生産性を向上させることができる。
【００７６】
また、このような本発明の実施形態に係る水晶振動子１００の製造方法によれば、スクリーン印刷を用いて導電性接着剤１２０を塗布しているので、ディスペンサ装置を用いずに導電性接着剤１２０を所定の形状に所定の量を容易に塗布することができる。
このため、このような本発明の実施形態に係る水晶振動子１００の製造方法によれば、生産性を向上させることができる。
【００７７】
また、このような本発明の実施形態に係る水晶振動子１００の製造方法によれば、矩形形状の平板状の素子搭載部材１１０となる複数の部分が設けられている素子搭載部材ウエハＷに、スクリーン印刷を用いて一度に導電性接着剤１２０を塗布し、塗布された導電性接着剤１２０を搭載パッド１１１と水晶振動素子１３０の引き出し電極１３３とで挟んだ状態で、導電性接着剤１２０を硬化させて素子搭載部材１１０に水晶振動素子１３０を搭載しているので、水晶振動素子１３０の引き出し電極１３３を水晶片１３１の両主面に設けることによって、水晶振動素子１３０の一方の主面と他方の主面を考慮することなく、素子搭載部材１１０に搭載することができる。
従って、本発明の実施形態に係る水晶振動子１００の製造方法は、水晶振動素子１３０に導電性接着剤１２０を塗布した場合と比較すると、水晶振動素子１３０を素子搭載部材１１０に容易に搭載することができるので生産性を向上させることができる。
【００７８】
また、このような本発明の実施形態に係る水晶振動子１００の製造方法によれば、矩形形状の平板状の素子搭載部材１１０となる複数の部分が設けられている素子搭載部材ウエハＷに、スクリーン印刷を用いて一度に導電性接着剤１２０を塗布し、塗布された導電性接着剤１２０を搭載パッド１１１と水晶振動素子１３０の引き出し電極１３３とで挟んだ状態で、導電性接着剤１２０を硬化させて素子搭載部材１１０に水晶振動素子１３０を搭載しているので、素子搭載部材が平板状となっており、従来の水晶振動子の製造方法と比較して、スクリーン印刷を行うときのマスクの形状が複雑でない。
このため、このような本発明の実施形態に係る水晶振動子１００の製造方法によれば、
従来の水晶振動子の製造方法と比較して容易に導電性接着剤１２０を塗布することができ、生産性を向上させることができる。
【００７９】
なお、塗布工程で金属からなり貫通穴が設けられているマスクを用いる場合について説明しているが、素子搭載部材となる部分に所定の形状の導電性接着剤を塗布することができれば、例えば、シルクスクリーンマスクを用いてもよい。
シルクスクリーンマスクとは、微細な貫通穴が設けられているメッシュ部と素子搭載部材なる部分の導電性接着剤の塗布される位置に対応した貫通穴が設けられているカバー部とから構成されているマスクである。
【００８０】
なお、本発明の実施形態で水晶振動素子の水晶片が矩形形状の平板状になっている場合について説明しているが、水晶片と励振電極と引き出し電極とから構成されていれば、例えば、水晶片の主面に凸部が設けられていてもよし、励振電極が設けられる部分が凹んだ状態又は凸の状態になっていてもよい。
【００８１】
また、本発明の実施形態で水晶振動素子の水晶片が矩形形状の平板状になっている場合について説明しているが、水晶片と励振電極と引き出し電極とから構成されていれば、例えば、水晶片が音叉形状となっていてもよい。
【符号の説明】
【００８２】
１００，２００  水晶振動子
１１０，２１０  素子搭載部材
１１１，２１１  搭載パッド
１１２，２１２  外部接続端子
１２０，２２０  導電性接着剤
１３０，２３０  水晶振動素子
１３１，２３１  水晶片
１３２，２３２  励振電極
１３３，２３３  引き出し電極
１４０，２４０  蓋部材
１４１，２４１  凹部空間
２５０  支持部
Ｗ  素子搭載部材ウエハ
【図１】
2012099923.tif 000003
【図２】
2012099923.tif 000004
【図３】
2012099923.tif 000005
【図４】
2012099923.tif 000006
【図５】
2012099923.tif 000007
【図６】
2012099923.tif 000008